(57)【特許請求の範囲】
【請求項１】
略Ｔ字形の流路を有するユニット本体と、この流路の各開口部にそれぞれ取付けた管継手と、相互に背向する上記一対の管継手に着脱可能に取付けたノズル及びディフューザと、これらと交差する方向の上記管継手に着脱可能に取付けたチューブとを備え、
上記管継手が、リリースブッシュを通して挿入される上記ノズル、ディフューザまたはチューブをチャックにより係止し、上記リリースブッシュを押圧することにより上記チャックによる係止を解除する管継手であり、
上記ノズルから上記ディフューザに流れる圧力流体によって上記チューブに生ずる真空圧でワークを吸引する、
ことを特徴とするエゼクタユニット。
【発明の詳細な説明】
【０００１】
【発明の属する技術分野】
本発明は、ワークを吸引するエゼクタユニットに関するものである。
【０００２】
【従来の技術】
略Ｔ字形の流路と、該流路に圧縮空気を供給するノズル部と、その延長線上の流路に設けたディフューザ部と、これらと交差する方向のチューブ接続部とを有してユニットとして一体に形成され、ノズル部からディフューザ部に流れる圧縮空気によってチューブ接続部に真空圧を作用させて所望のワークを吸引するエゼクタは、特に例示するまでもなく既に知られている。
上記公知のエゼクタによって吸引されるワークには、表面に凹凸があるために多量の吸込み流量を必要とするもの、紙のように空気が透過するもの、金属板のように表面が滑らのために吸込み流量は少なくてよいが比較的大きな真空圧を必要とするもの、糸屑や塵埃のようにの吸込み流量は多くても真空圧を殆ど必要としないもの等があるために、上記エゼクタは、吸引するワークに応じて種々の吸込み流量や真空圧を有するものが要求される。
【０００３】
このため、従来はエゼクタを実験的に作動させて、吸引するワークに必要なノズル径、真空圧等を決めており、これによって所望の性能が得られない場合には、ユニットとして形成したエゼクタ全体を交換している。
しかしながら、エゼクタ全体を交換することは、ノズル部やディフューザ部の流路寸法等が異なる多種類のエゼクタを用意する必要があるために、エゼクタの種類が多くなって高価になるばかりでなく、交換作業が面倒である。
【０００４】
【発明が解決しようとする課題】
本発明が解決しようとする課題は、安価でかつ交換が容易なエゼクタユニットを提供することにある。
【０００５】
【課題を解決するための手段】
上記課題を解決するため、本発明のエゼクタユニットは、略Ｔ字形の流路を有するユニット本体と、この流路の各開口部にそれぞれ取付けた管継手と、相互に背向する上記一対の管継手に着脱可能に取付けたノズル及びディフューザと、これらと交差する方向の上記管継手に着脱可能に取付けたチューブとを備え、上記管継手が、リリースブッシュを通して挿入される上記ノズル、ディフューザまたはチューブをチャックにより係止し、上記リリースブッシュを押圧することにより上記チャックによる係止を解除する管継手であり、上記ノズルから上記ディフューザに流れる圧力流体によって上記チューブに生ずる真空圧でワークを吸引することを特徴としている。
【０００６】
ユニット本体のＴ字形流路の各開口部に取付けた管継手に、それぞれ適宜のノズル、ディフューザ及びチューブを接続してユニットを作動させ、これによってワークに必要な所望の吸引性能が得られないときは、これらの１つまたは２つ以上を交換することによって、ワークに応じた吸引性能を有するエゼクタユニットを得ることができる。
この場合、これら各部の交換は、流路の開口部に設けた管継手によって必要なものだけを交換することができ、エゼクタユニット全体を交換する必要がないので、１種類のユニット本体によって、ワークに応じた吸引性能を有するエゼクタユニットを得ることができる。
したがって、必要な部品点数が少なくなってユニット全体を安価なものにすることができ、しかも管継手によって交換作業が容易である。
【０００７】
【発明の実施の形態】
図１は本発明の第１実施例を示し、このエゼクタユニットは、略Ｔ字形の流路２を有する合成樹脂製のＴ字形ユニット本体１と、上記流路２の各開口部にそれぞれ取付けられた管継手３ａ，３ｂ，３ｃと、相互に背向する管継手３ａと３ｂに着脱可能に取付けられたノズル４及びディフューザ５と、これらと交差する方向の管継手３ｃに着脱可能に取付けられたチューブ６とを備え、これらの管継手３ａ，３ｂ，３ｃは、リリースブッシュ８を通してノズル部４等を挿入すると、シール部材９がその外周面を気密にシールするとともに金属製のチャック１０，・・がこれらを係止し、リリースブッシュ８を押圧すると、チャック１０，・・による係止が解除されて抜取ることができる、いわゆるワンタッチ管継手として構成されている。
上記ノズル４は、軸線方向に形成した圧縮空気の流路１２、該流路１２の基端開口部に取付けられた圧縮空気のチューブ（図示省略）に接続される入口管継手１３、及び流路１２中の可変絞り１４を有し、先端が管継手３ａに着脱可能に挿着される。また、ディフューザ５は、上記流路１２より大径の平行部１６と、該平行部１６の先端の出口管継手１７とを有し、基端部分が管継手３ｂに着脱可能に挿着されており、管継手３ｃには、吸着パッド１９に連通するチューブ６が着脱可能に挿着されている。そして、管継手１３及び１７も、いわゆるワンタッチ管継手として構成されている。
【０００８】
なお、ノズル４及びディフューザ５は、ウレタン樹脂、ポリアミド樹脂等の合成樹脂のチューブで形成することもできる。
また、ユニット本体１を複数個並設して、多連タイプのエゼクタユニットとすることができる。
さらに、必要に応じて、管継手１３及び１７に、サイレンサ、バルブ、チェックバルブ、スピードコントローラ、圧力計等のセンサ、及びフィルタ（いずれも図示省略）を取付けることができる。
【０００９】
上記第１実施例は、ノズル４の入口管継手１３に挿入したチューブから圧縮空気を供給すると、流路１２を通ってディフューザ５の平行部１６に流れる空気によってユニット本体１の流路２に負圧が生じ、これによってチューブ６に接続された吸着パッド１８がワーク１９を吸着する。この場合、ノズル４を流れる圧縮空気の流量は可変絞り１４によって調整することができ、可変絞り１４の開口量はナット１５に固定することができる。
上記第１実施例は、吸引するワーク１９の性質によって、必要とする吸込み流量、真空圧等が相違するが、ノズル４、ディフューザ５、チューブ６を適宜のものにすることによって、ワーク１９の性質に応じた所望の性能を有するエゼクタを得ることができる。なお、ワーク１９が塵埃等の場合には、吸着パッド１８を設ける必要がないことは勿論である
上記ノズル４、ディフューザ５及びチューブ６の交換は、ユニット本体１に設けた管継手３ａ，３ｂ，３ｃによって容易である。また、各管継手への挿入径が同じで、流路１２、平行部１６及びチューブ６の内径が異なる複数種類のノズル４、ディフューザ５及びチューブ６を用意すればよく、ユニット本体１を共通のものとすることができるので、必要な部品が少なくなってエゼクタユニットを全体として安価なものとすることができる。
【００１０】
図２は本発明の第２実施例を示し、第２実施例のノズル２１は、流路２２中に電磁弁２３が取付けられている。この電磁弁２３は、ソレノイドの励磁とその解除により、出口ポートを入口ポートと排出ポート（ポートはいずれも図示省略）とに切換えて連通させる周知の３ポート電磁弁で構成されており、入口ポートと出口ポートは、流路２２の上流側と下流側にそれぞれ連通し、排出ポートは外部に開口している。
第２実施例の他の構成及び作用は第１実施例と同じであるから、図の主要な箇所に同一の符号を付して、詳細な説明は省略する。
【００１１】
【発明の効果】
本発明のエゼクタユニットは、ユニット本体の略Ｔ字形流路の各開口部に管継手を設け、これらの管継手に、それぞれノズル、ディフューザ及びチューブを着脱可能に取付けたことにより、所望のノズル、ディフューザ及びチューブをユニット本体に取付けることによって、ワークの性質に応じた吸込み流量、真空圧等を有するエゼクタユニットを得ることができるので、これらの交換作業が簡単で、しかもユニット全体を安価なものにすることができる。
【図面の簡単な説明】
【図１】第１実施例の断面図である。
【図２】第２実施例の断面図である。
【符号の説明】
１    ユニット本体
２    流路
３ａ，３ｂ，３ｃ  管継手
４    ノズル
５    ディフューザ
６    チューブ
【図１】
0003612383.tif 000002
【図２】
0003612383.tif 000003